(57)【要約】【課題】用紙カセットの用紙サイズが変更された場合、特別なキー操作を要することなく、新たなサイズを自動的に設定し得る記録装置を提供する。【解決手段】カセットが装着されると（ＳＴ１）、用紙サイズの変更有りか否か判定し（ＳＴ２）、変更有りの場合、変更した用紙サイズを設定し（ＳＴ３）、サイズ設定変更メッセージを表示部７に表示する（ＳＴ４）。このメッセージは所定時間表示して消去する（ＳＴ５、ＳＴ６）。セットされたカセットの用紙サイズが変更されていない場合は（ＳＴ２）、サイズ設定変更無しのメッセージを表示部７に表示する（ＳＴ７）。このメッセージも所定時間で表示消去する（ＳＴ８）。【選択図】      図２
2004161442.tif 000002
【特許請求の範囲】
【請求項１】
用紙を収容する用紙カセットと、用紙カセットに収容される用紙サイズを検出する用紙サイズ検出手段と、用紙カセットがセットされたときに検出する用紙サイズが以前と異なる用紙サイズの場合に新たな用紙サイズを設定する設定手段と、異なる用紙サイズの場合に、その旨を報知する報知手段と、を備えたことを特徴とする記録装置。
【請求項２】
前記用紙カセットに収容されている用紙サイズは、記憶手段に設定記憶しており、用紙カセットが再セットされたときに、検出される用紙サイズと前記記憶されている用紙サイズとを比較し、一致しない場合に、前記報知手段による報知を行うようにしたことを特徴とする請求項１記載の記録装置。
【請求項３】
前記設定記憶中の用紙サイズと、検出された用紙サイズが一致しない場合に、新たに検出された用紙サイズを前記記憶手段に設定記憶するようにしたことを特徴とする請求項２記載の記録装置。
【発明の詳細な説明】
【０００１】
【発明の属する技術分野】
この発明は、複写装置、ファクシミリ装置、複写機能・ファックス機能などの多機能を有する複合機などの原稿等を記録する記録装置に関する。
【０００２】
【従来の技術】
一般に、複写装置、ファクシミリ装置、複合機等においては、原稿読取部で読み取った原稿、あるいは伝送されて来た原稿画像を記録部で記録（プリント）する。記録するための用紙はサイズ毎に用紙カセットに収納されている。
【０００３】
この種の記録装置において、従来、ＭＰカセット（用紙カセット）をセットすると、図７に示すように、ＭＰカセットをセット（ステップＳＴ１１）後に、用紙カセットの用紙サイズが元（以前の）の用紙サイズより変更されているか否か判定し（ステップＳＴ１２）、変更がなければ、これまでの用紙サイズを設定し（ステップＳＴ１５）、用紙サイズが変更されている場合には、サイズ変更オペレーションを起動し（ステップＳＴ１３）、変更後の用紙サイズを操作により設定する（ステップＳＴ１４）ようにしている。また従来、給紙トレイ（カセット）に収容された画像記録用紙の用紙情報を記憶手段に記憶し、この記憶された用紙情報を表示する表示手段を備え、所定の条件が成立したときに、用紙情報を表示手段に表示して、用紙情報の設定又は変更を可能とした画像記録装置が提案されている（例えば、特許文献１参照）。
【０００４】
【特許文献１】
特開２００２−２７８３７７号公報
【０００５】
【発明が解決しようとする課題】
上記した従来の記録装置では、ＭＰカセットの用紙が変更されると、用紙サイズ変更オペレーションを起動し、自動検出した用紙サイズにカーソルがあり、その表示のカーソルを確認してから設定を行わなければならない。そのため、操作が面倒である。特許文献１に記載の技術においても、所定の条件が成立したときに用紙情報は表示されるが、設定又は変更のための操作は必要である。
【０００６】
この発明は上記問題点に着目してなされたものであって、ＭＰカセットの用紙が変更された場合に、特別なキー操作を要することなく、新たなサイズを自動的に設定し得る記録装置を提供することを目的としている。
【０００７】
【課題を解決するための手段】
この発明の記録装置は、用紙を収容する用紙カセットと、用紙カセットに収容される用紙サイズを検出する用紙サイズ検出手段と、用紙カセットがセットされたときに検出する用紙サイズが以前と異なる用紙サイズの場合に新たな用紙サイズを設定する手段と、異なる用紙サイズの場合に、その旨を報知する報知手段と、を備えている。
【０００８】
また、この発明の記録装置において、前記用紙カセットに収容されている用紙サイズは、記憶手段に設定記憶しており、用紙カセットが再セットされたときに、検出される用紙サイズと前記記憶されている用紙サイズとを比較し、一致しない場合に、前記報知手段による報知を行うようにすると良い。
【０００９】
また、この発明の記録装置において、前記設定記憶中の用紙サイズと、検出された用紙サイズと、検出された用紙サイズが一致しない場合に、新たに検出された用紙サイズを前記記憶手段に設定記憶すると良い。
【００１０】
【発明の実施の形態】
以下、実施の形態により、この発明を更に詳細に説明する。図１に、この発明の実施形態記録装置全体の概略構成を示すブロック図を示す。
【００１１】
この実施形態記録装置は、ファクシミリ機能とコピー機能とを備えたいわゆる複合機として構成したもので、ＮＣＵ（網制御回路：Ｎｅｔｗｏｒｋ  Ｃｏｎｔｒｏｌ  Ｕｎｉｔ）１と、ＭＯＤＥＭ２と、画像メモリ３と、ＲＡＭ４と、ＲＯＭ５と、主制御部６と、表示部７と、操作部８と、画像読取部９と、画像記録部１０と、ＣＯＤＥＣ（符号化・復号器：Ｃｏｄｅｒ  ａｎｄ  Ｄｅｃｏｄｅｒ  ）１１と、ＬＡＮＩ／Ｆ１２と、カセットセンサ１３と、サイズセンサ１４と、バス１３とを備える。
【００１２】
主制御部（ＣＰＵ）６は、この装置を構成する各部を制御する機能を有する。ＮＣＵ１は、通信回線である電話回線網（ＰＳＴＮ）１４との接続を制御すると共に、相手先の電話番号（ＦＡＸ番号を含む）に対応したダイヤル信号を送出する機能及び着信を検出するための機能を備えている。ＭＯＤＥＭ２は、ＩＴＵ（国際電気通信連合）−Ｔ勧告Ｔ．３０、Ｔ．４等に従ったファクシミリ伝送制御手順に基づいて、Ｖ．１７、Ｖ．２７ｔｅｒ、Ｖ．２９等に従った送信データの変調及び受信データの復調を行う。或いは、これらに加えてＶ．３４に従った送信データの変調及び受信データの復調を行う。
【００１３】
画像メモリ３は、受信画像データや画像読取部９で読み取った画像データを一時的に記憶する。ＲＡＭ４は、データ等を一時的に記憶する。このＲＡＭ４には、用紙サイズ設定メモリ４ａを有する。ＲＯＭ５は、この装置を制御するためのプログラムを記憶する。表示部（ＬＣＤ）７は、アイコン、キーボタンの表示や、データの送受信に必要なメッセージ内容等を表示する。また、表示部７は、装置のカセットを含む全体画像を表示でき、各カセットに収容されている用紙のサイズ及び文字メッセージを示した画面（例：図３、図４参照）を表示できる。操作部８はワンタッチキー、登録キー、ＦＡＸモード・コピーモード・スキャナモード等の複数の動作モードについてのモード切り替えを行うための動作モード切替キー、テンキー、スタートキー、その他のキーを有する。
【００１４】
画像読取部９は、ＦＡＸ送信するときにあるいはコピーするときに、原稿の画像データを光学的に走査して読み取る。この画像読取部９は、カラー画像の読み取りも可能である。画像記録部１０は、電子写真方式のプリンタよりなり、受信画像データやコピー動作において画像読取部９で読み取った原稿の画像データを記録紙上に記録する。この画像記録部１０は、カラープリントも可能である。画像記録部１０は内部プリンタ部、定着部、縦搬送路、その他紙搬送路上の適宜の箇所にそれぞれジャムセンサを備えている。
【００１５】
ＣＯＤＥＣ１１は、読み取った画像データを送信又は記憶するためにＭＨ、ＭＲ、ＭＭＲ方式等により符号化（エンコード）し、受信画像データを記録するために復号（デコード）する。ＬＡＮＩ／Ｆ１２は、ＰＣ（パーソナルコンピュータ）その他のＬＡＮ１５（ローカルエリアネットワーク）を構成する外部機器と接続され、ここを介して外部機器とのデータ授受を行う。外部ＰＣからデータ転送の要求を受けると、画像データをＬＡＮＩ／Ｆ１２、ＬＡＮ１５を介して、外部ＰＣに転送する。
【００１６】
カセットセンサ１３は、図５に示すように、各カセットの収納部２１ａ、２１ｂ、２１ｃの近傍に、対応してそれぞれセンサ１３ａ、１３ｂ、１３ｃとして配置される。また、サイズセンサ１４は、各用紙カセット２２ａ、２２ｂ、２２ｃ内に、それぞれ対応して、個別にセンサ１４ａ、１４ｂ、１４ｃとして設けている。
【００１７】
次に、この実施形態複合機において、用紙カセットサイズ設定処理を、図２に示すフロー図を参照して説明する。この処理ルーチンに入ると、ステップＳＴ１において、用紙カセットが装置の用紙カセットのセット部に装着されたか否か判定する。この判定は、カセットセンサ１３ａ、１３ｂ、１３ｃの検出出力に基づいて判定する。用紙カセットがセットされていないとリターンする。一方、用紙カセットが装着されていると、ステップＳＴ２に移行する。
【００１８】
ステップＳＴ２においては、用紙サイズに変更ありか否かを判定する。用紙サイズは、用紙カセット毎に設けているサイズセンサ１４ａ、１４ｂ、１４ｃにより検出する。変更か否かはそれまでにセットされていた用紙サイズが用紙サイズ設定メモリ４ａに記憶されているので、この設定メモリ４ａの用紙サイズと、今回検出の用紙サイズを比較する。用紙サイズ設定メモリ４ａには、図６に示すように、第１カセット、第２カセット、第３カセットに対応して、設定したサイズを記憶している。用紙サイズに変更有りの場合は、ステップＳＴ３へ移行する。一方、用紙サイズに変更無しの場合は、ステップＳＴ７へ移行する。
【００１９】
ステップＳＴ３においては、変更した用紙サイズ、つまり今回セットされた用紙サイズを用紙サイズ設定メモリ４ａに設定記憶する。次に、ステップＳＴ４へ移行する。ステップＳＴ４においては、用紙サイズ設定変更のメッセージを表示部７の画面に表示する。図３に、この場合の表示画面の一例を示す。ここで表示部７の画面７ａには「第１段目のカセットの用紙を「Ｂ４」から「Ｂ５」に変更した。」との文字メッセージ７ｂを表示している。また、各用紙サイズの設定用紙を表示するカセット表示７ｃには、第１段目の「Ｂ５」を点滅表示し、併せてこの部分の用紙サイズが変更されたことを報知している。次に、ステップＳＴ５へ移行する。ステップＳＴ５においては、所定時間（例：５秒）経過か否か判定する。サイズ設定変更のメッセージ表示を開始して所定時間が経過するまでは、ステップＳＴ４へ戻り、表示を継続する。一方、所定時間が経過すると、ステップＳＴ６へ移行する。ステップＳＴ６においては、表示部７に表示しているサイズ設定変更のメッセージの文字表示７ｂを消去する。この場合、用紙カセットの表示７ｃの点滅を併せて消去する。
【００２０】
ステップＳＴ７においては、用紙サイズ設定変更無しのメッセージを表示部７の画面に表示する。図４に、この場合の表示画面の一例を示す。ここでは、表示部７の画面７ａには「第１段目のカセットの用紙をセットしましたが、用紙の変更はありません。」との文字メッセージを表示している。カセット表示７ｃには、それぞれ各段のカセットにセットされている用紙サイズを表示している。
【００２１】
上記したステップＳＴ４、ＳＴ７におけるメッセージ表示は、表示に代えて、あるいは表示とともに音声で出力しても良い。もちろん、用紙サイズに変更なしの場合（ＳＴ７）、表示や音声出力による報知はなくても良い。
【００２２】
【発明の効果】
この発明によれば、用紙を収容する用紙カセットと、用紙カセットに収容される用紙サイズを検出する用紙サイズ検出手段と、用紙カセットがセットされたときに検出する用紙サイズが以前と異なる用紙サイズの場合に新たな用紙サイズを設定する手段と、異なる用紙サイズの場合に、その旨を報知する報知手段と、を備えているので、異なる用紙サイズの用紙カセットをセットしても、用紙サイズを操作で変更することなく、また用紙設定が自動的に行われたことを報知手段の動作により、知ることができる。
【図面の簡単な説明】
【図１】この発明の記録装置の一実施形態である複合機の構成を示すブロック図である。
【図２】同実施形態複合機の用紙サイズ設定処理を説明するフロー図である。
【図３】同用紙サイズ設定処理における用紙サイズ設定変更のメッセージ表示の画面例を示す図である。
【図４】同用紙サイズ設定処理における用紙サイズ設定変更無しのメッセージ表示例を示す図である。
【図５】上記実施形態複合機の用紙カセット、カセットセンサ、サイズセンサの配置を説明する図である。
【図６】上記実施形態複合機の用紙サイズ設定メモリの記憶内容の一例を示す図である。
【図７】従来の用紙サイズ設定処理を説明するフロー図である。
【符号の説明】
１                            ＮＣＵ
２                            ＭＯＤＥＭ
３                            画像メモリ
４                            ＲＡＭ
４ａ                          用紙サイズ設定メモリ
５                            ＲＯＭ
６                            主制御部
７                            表示部
８                            操作部
９                            画像読取部
１０                          画像記録部
１１                          ＣＯＤＥＣ
１２                          ＬＡＮＩ／Ｆ
１３、１３ａ、１３ｂ、１３ｃ  カセットセンサ
１４、１４ａ、１４ｂ、１４ｃ  サイズセンサ
１５                          バス
【図１】
2004161442.tif 000003
【図２】
2004161442.tif 000004
【図３】
2004161442.tif 000005
【図４】
2004161442.tif 000006
【図５】
2004161442.tif 000007
【図６】
2004161442.tif 000008
【図７】
2004161442.tif 000009